(57)【要約】【課題】ユーザが携帯機器を操作するときに、腕をひねることなく、ウェアラブル機器用表示部に表示される表示画面を見ることができるウェアラブル機器を提供すること。【解決手段】ウェアラブル機器（１）は、携帯機器用表示部（２０２）の向きを表す方向情報を含む携帯機器情報を送信する携帯機器（２）とペアリングを行なっていない場合、ウェアラブル機器用表示部（１０２）の表示領域のうちの第１の表示領域に表示画面（Ａ１）を表示する。一方、携帯機器（２）とペアリングを行なっているときに、携帯機器（２）から携帯機器情報を受信した場合、携帯機器情報に含まれる方向情報に基づいて、ウェアラブル機器用表示部（１０２）の表示領域のうちの、携帯機器用表示部（２０２）の向きと同じ向きの第２の表示領域（１０２ｂ）に表示画面（Ａ１）を表示する。【選択図】図７
2017076034.tif 000002
【特許請求の範囲】
【請求項１】
リストバンドと、
前記リストバンドの表面に設けられたウェアラブル機器用表示部と、
携帯機器用表示部の向きを表す方向情報を含む携帯機器情報を送信する携帯機器に対して通信可能距離でペアリングを行なう通信部と、
前記通信部が前記携帯機器とペアリングを行なっていない場合、前記ウェアラブル機器用表示部の表示領域のうちの第１の表示領域に表示画面を表示する第１表示制御部と、
前記通信部が前記携帯機器とペアリングを行なっているときに、前記携帯機器から前記携帯機器情報を受信した場合、前記携帯機器情報に含まれる前記方向情報に基づいて、前記ウェアラブル機器用表示部の表示領域のうちの、前記携帯機器用表示部の向きと同じ向きの第２の表示領域に前記表示画面を表示する第２表示制御部と、
を具備することを特徴とするウェアラブル機器。
【請求項２】
前記ウェアラブル機器用表示部の前記第１の表示領域の向きを検出するセンサ部と、
前記センサ部により検出された前記第１の表示領域の向きから、前記携帯機器情報の前記方向情報が表す前記携帯機器用表示部の向きに、前記ウェアラブル機器用表示部上で調整するための調整量を決定する調整量決定部と、
を更に具備し、
前記第２表示制御部は、前記調整量に基づいて、前記ウェアラブル機器用表示部の表示領域のうちの、前記携帯機器用表示部の向きと同じ向きの前記第２の表示領域に前記表示画面を表示することを特徴とする請求項１に記載のウェアラブル機器。
【請求項３】
前記携帯機器情報は、更に、前記携帯機器の操作の有無を表す操作状態情報を含み、
前記第２表示制御部は、前記通信部が前記携帯機器とペアリングを行なっているときに、前記携帯機器から前記携帯機器情報を受信し、かつ、前記携帯機器情報に含まれる前記操作状態情報が前記携帯機器の操作を表している場合、前記携帯機器情報に含まれる前記方向情報に基づいて、前記ウェアラブル機器用表示部の前記第２の表示領域に前記表示画面を表示することを特徴とする請求項１または２に記載のウェアラブル機器。
【請求項４】
前記通信部が前記携帯機器とペアリングを行なっているときの受信レベルを計測する受信レベル計測部
を更に具備し、
前記第２表示制御部は、前記通信部が前記携帯機器とペアリングを行なっているときに、前記携帯機器から前記携帯機器情報を受信し、かつ、前記受信レベルが設定受信レベル以上である場合、前記携帯機器情報に含まれる前記方向情報に基づいて、前記ウェアラブル機器用表示部の前記第２の表示領域に前記表示画面を表示し、
前記第１表示制御部は、前記受信レベルが前記設定受信レベルよりも低い場合、前記ウェアラブル機器用表示部の前記第１の表示領域に前記表示画面を表示することを特徴とする請求項１から３のいずれか一項に記載のウェアラブル機器。
【請求項５】
前記ウェアラブル機器用表示部の表示領域のうちの最も高い位置にある表示領域の向きを検出するセンサ部
を更に具備し、
前記ウェアラブル機器用表示部の前記第１の表示領域は、前記ウェアラブル機器用表示部の表示領域のうちの、前記最も高い位置にある表示領域で前記表示画面を表示する表示領域であることを特徴とする請求項１から４のいずれか一項に記載のウェアラブル機器。
【発明の詳細な説明】
【技術分野】
【０００１】
本発明は、リストバンド型の携帯機器であるウェアラブル機器に関する。
【背景技術】
【０００２】
ウェアラブル機器に関する技術として、リストバンド型の携帯機器が特許文献１に記載されている。そのウェアラブル機器は、機器本体と、表示部（ウェアラブル機器用表示部）と、を具備している。ウェアラブル機器用表示部は、機器本体の表面に設けられたタッチパネルディスプレイであり、表示画面を表示する。機器本体は、ウェアラブル機器用表示部が外側になるように、ユーザの腕にリストバンドのように巻き付けて使用される。すなわち、ユーザは、腕時計のように、その機器本体を自身の腕に巻き付けて使用する。
【０００３】
特許文献１に記載された技術において、ユーザが、腕時計のように、機器本体を自身の腕の手首（例えば、左腕の手首）に巻き付けて使用したときに、ウェアラブル機器用表示部は、腕時計のように左腕の手の甲側に表示画面を表示することが好ましい。
【先行技術文献】
【特許文献】
【０００４】
【特許文献１】特開２０１４−１８６４９０号公報
【発明の概要】
【発明が解決しようとする課題】
【０００５】
ここで、特許文献１に記載された技術において、ユーザが、ウェアラブル機器（機器本体）を自身の左腕の手首に巻き付けて使用し、その手でスマートホンなどの携帯機器を操作する場合を想定する。この場合、ウェアラブル機器用表示部に表示される表示画面と、携帯機器の表示部（携帯機器用表示部）に表示される表示画面とが同じ向きであるとは限らない。
【０００６】
すなわち、特許文献１に記載された技術において、ウェアラブル機器用表示部に表示される表示画面は、ユーザの左腕の手の甲側に表示されるのに対して、携帯機器用表示部に表示される表示画面は、ユーザの左腕の手のひら側に表示される。ユーザが、携帯機器を操作しながら、ウェアラブル機器用表示部に表示される表示画面を見ようとした場合、腕をひねることになり、ユーザにとっては、面倒であり、不便である。
【０００７】
本発明は、上記従来の問題点に鑑みてなされたものであって、ユーザが携帯機器を操作するときに、腕をひねることなく、ウェアラブル機器用表示部に表示される表示画面を見ることができるウェアラブル機器を提供することを目的とする。
【課題を解決するための手段】
【０００８】
本発明のウェアラブル機器は、リストバンドと、前記リストバンドの表面に設けられたウェアラブル機器用表示部と、携帯機器用表示部の向きを表す方向情報を含む携帯機器情報を送信する携帯機器に対して通信可能距離でペアリングを行なう通信部と、前記通信部が前記携帯機器とペアリングを行なっていない場合、前記ウェアラブル機器用表示部のうちの第１の表示領域に表示画面を表示する第１表示制御部と、前記通信部が前記携帯機器とペアリングを行なっているときに、前記携帯機器から前記携帯機器情報を受信した場合、前記携帯機器情報に含まれる前記方向情報に基づいて、前記ウェアラブル機器用表示部のうちの、前記携帯機器用表示部の向きと同じ向きの第２の表示領域に前記表示画面を表示する第２表示制御部と、を具備することを特徴とする。
【０００９】
本発明の携帯機器は、上記ウェアラブル機器に対して通信可能距離でペアリングを行なう通信部と、前記通信部が前記ウェアラブル機器とペアリングを行なっているときに、携帯機器用表示部の向きを表す方向情報を含む携帯機器情報を送信する制御部と、を具備することを特徴とする。
【００１０】
本発明のウェアラブル機器の表示方法は、リストバンドと、前記リストバンドの表面に設けられたウェアラブル機器用表示部と、携帯機器用表示部の向きを表す方向情報を含む携帯機器情報を送信する携帯機器に対して通信可能距離でペアリングを行なう通信部と、を具備するウェアラブル機器を用いた表示方法であって、前記通信部が前記携帯機器とペアリングを行なっていない場合、前記ウェアラブル機器用表示部のうちの第１の表示領域に表示画面を表示する第１表示制御ステップと、前記通信部が前記携帯機器とペアリングを行なっているときに、前記携帯機器から前記携帯機器情報を受信した場合、前記携帯機器情報に含まれる前記方向情報に基づいて、前記ウェアラブル機器用表示部のうちの、前記携帯機器用表示部の向きと同じ向きの第２の表示領域に前記表示画面を表示する第２表示制御ステップと、を具備することを特徴とする。
【００１１】
本発明のコンピュータプログラムは、前記ウェアラブル機器の表示方法の各ステップをコンピュータに実行させることを特徴とする。
【００１２】
本発明の通信システムは、携帯機器用表示部の向きを表す方向情報を含む携帯機器情報を送信する携帯機器と、ウェアラブル機器と、を具備し、前記ウェアラブル機器は、リストバンドと、前記リストバンドの表面に設けられたウェアラブル機器用表示部と、前記携帯機器に対して通信可能距離でペアリングを行なう通信部と、前記通信部が前記携帯機器とペアリングを行なっていない場合、前記ウェアラブル機器用表示部のうちの第１の表示領域に表示画面を表示する第１表示制御部と、前記通信部が前記携帯機器とペアリングを行なっているときに、前記携帯機器から前記携帯機器情報を受信した場合、前記携帯機器情報に含まれる前記方向情報に基づいて、前記ウェアラブル機器用表示部のうちの、前記携帯機器用表示部の向きと同じ向きの第２の表示領域に前記表示画面を表示する第２表示制御部と、を具備することを特徴とする。
【発明の効果】
【００１３】
本発明によれば、ユーザが携帯機器を操作するときの携帯機器用表示部の向きに合わせて、ウェアラブル機器用表示部の第２の表示領域に表示画面を表示するため、ユーザは、携帯機器を操作するときに、腕をひねることなく、ウェアラブル機器用表示部に表示される表示画面を見ることができる。
【図面の簡単な説明】
【００１４】
【図１】第１実施形態に係るウェアラブル機器１に適用される通信システムにおいて、ウェアラブル機器１、及び、携帯機器２の構成を示すブロック図である。
【図２】図１の携帯機器２の外観を示す図である。
【図３】図１のウェアラブル機器１の外観を示す図である。
【図４】第１実施形態に係るウェアラブル機器１の動作を示すフローチャートである。
【図５】第１実施形態に係るウェアラブル機器１の動作として、図４の第２表示処理（ステップＳ１１０）を示すフローチャートである。
【図６】第１実施形態に係るウェアラブル機器１の動作において、図４の第１表示処理（ステップＳ１０１）を説明するための図である。
【図７】第１実施形態に係るウェアラブル機器１の動作において、図４の第２表示処理（ステップＳ１１０）を説明するための図である。
【図８】第２実施形態に係るウェアラブル機器１に適用される通信システムにおいて、携帯機器２の構成を示すブロック図である。
【図９】第２実施形態に係るウェアラブル機器１の動作を示すフローチャートである。
【図１０】第３実施形態に係るウェアラブル機器１に適用される通信システムにおいて、ウェアラブル機器１の構成を示すブロック図である。
【図１１】第３実施形態に係るウェアラブル機器１の動作を示すフローチャートである。
【図１２】第４実施形態に係るウェアラブル機器１の動作において、図４の第１表示処理（ステップＳ１０１）を説明するための図である。
【図１３】第４実施形態に係るウェアラブル機器１の動作において、図４の第１表示処理（ステップＳ１０１）を説明するための図である。
【図１４】第４実施形態に係るウェアラブル機器１の動作において、図４の第１表示処理（ステップＳ１０１）を説明するための図である。
【発明を実施するための形態】
【００１５】
以下、図面を参照しながら実施形態について説明する。
【００１６】
［第１実施形態］
図１は、第１実施形態に係るウェアラブル機器１に適用される通信システムを示すブロック図である。図２は、図１の携帯機器２の外観を示す図である。図３は、図１のウェアラブル機器１の外観を示す図である。
【００１７】
図１に示されるように、通信システムは、ウェアラブル機器１と、携帯機器２と、を具備している。ウェアラブル機器１、及び、携帯機器２は、ユーザにより携帯される機器である。携帯機器２としては、スマートホンなどがあげられる。ウェアラブル機器１は、リストバンド型の携帯機器である。
【００１８】
図１に示されるように、携帯機器２は、制御部２０１と、携帯機器用表示部２０２と、記憶部２０３と、センサ部２０４と、通信部２０５と、を具備している。図２に示されるように、携帯機器２は、更に、筐体２００を具備している。
【００１９】
携帯機器用表示部２０２は、筐体２００の表面に設けられたタッチパネルディスプレイである。
【００２０】
記憶部２０３は、筐体２００内に設けられ、コンピュータプログラムが格納されている。制御部２０１は、筐体２００内に設けられ、コンピュータプログラムを実行して、その実行結果を表示画面として携帯機器用表示部２０２に表示する。
【００２１】
センサ部２０４は、筐体２００内に設けられ、携帯機器用表示部２０２の向き（座標）を検出する。センサ部２０４は、携帯機器用表示部２０２の向き（座標）を検出可能であればよく、センサ部２０４としては、加速度センサ、重力センサ、ジャイロセンサなどがあげられる。
【００２２】
制御部２０１は、携帯機器情報Ｂ１を送信する。携帯機器情報Ｂ１は、センサ部２０４により検出された携帯機器用表示部２０２の向き（座標）を表す方向情報Ｂ１１を含んでいる。
【００２３】
通信部２０５は、筐体２００内に設けられ、ウェアラブル機器１に対して通信可能距離でペアリングを行なう。
【００２４】
図１に示されるように、ウェアラブル機器１は、制御部１０１と、ウェアラブル機器用表示部１０２と、記憶部１０３と、センサ部１０４と、通信部１０５と、を具備している。図３に示されるように、ウェアラブル機器１は、更に、リストバンド１００と、接続部１０６と、を具備している。
【００２５】
リストバンド１００は、ユーザの腕（例えば、左腕）に装着可能である。リストバンド１００の両端部１００ｃ、１００ｄの一方には、リストバンド１００の両端部１００ｃ、１００ｄの他方を接続するための接続部１０６が設けられている。
【００２６】
接続部１０６は、ユーザが自身の左腕の手首にリストバンド１００を装着するときに、例えばリストバンド１００の裏面１００ｂでリストバンド１００の両端部１００ｃ、１００ｄを接続する。すなわち、ユーザは、腕時計のように左腕の手のひら側において、リストバンド１００の両端部１００ｃ、１００ｄを接続部１０６で接続することにより、自身の腕（左腕）にリストバンド１００を装着する。接続部１０６がリストバンド１００の両端部１００ｃ、１００ｄを接続する方法は、特に限定されない。
【００２７】
ウェアラブル機器用表示部１０２は、リストバンド１００の表面１００ａに設けられたタッチパネルディスプレイである。
【００２８】
ここで、ウェアラブル機器用表示部１０２の表示領域は、リストバンド１００の表面１００ａ全体に設けられていなくてもよい。例えば、ユーザが自身の腕（左腕）にリストバンド１００を装着したときに、リストバンド１００の表面１００ａのうちの、ユーザの小指側は、ユーザの目視が困難である。すなわち、ユーザが目視するためには腕（左腕）をひねる必要がある。このため、ウェアラブル機器用表示部１０２の表示領域は、ユーザの小指側以外の領域に指定される。
【００２９】
記憶部１０３は、リストバンド１００内に設けられ、コンピュータプログラムが格納されている。制御部１０１は、リストバンド１００内に設けられ、コンピュータプログラムを実行して、その実行結果を表示画面Ａ１としてウェアラブル機器用表示部１０２に表示する。また、制御部１０１は、ウェアラブル機器用表示部１０２に対するタッチに応じてコンピュータプログラムを実行し、その実行結果を表示画面Ａ１としてウェアラブル機器用表示部１０２に表示する。
【００３０】
センサ部１０４は、リストバンド１００内に設けられ、ウェアラブル機器用表示部１０２の第１の表示領域１０２ａの向き（座標）を検出する。センサ部１０４は、ウェアラブル機器用表示部１０２の第１の表示領域１０２ａの向き（座標）を検出可能であればよく、センサ部１０４としては、加速度センサ、重力センサ、ジャイロセンサなどがあげられる。
【００３１】
ウェアラブル機器用表示部１０２の第１の表示領域１０２ａは、予め指定された表示領域である。具体的には、第１の表示領域１０２ａは、ユーザが自身の腕（左腕）にリストバンド１００を装着したときに、腕時計のように左腕の手の甲側に表示画面Ａ１を表示するための表示領域である。表示画面Ａ１は、時刻などの情報を表す画面であり、例えば、第１の表示領域１０２ａには、表示画面Ａ１「１２：００」が表示されている。
【００３２】
通信部１０５は、リストバンド１００内に設けられ、携帯機器２に対して通信可能距離でペアリングを行なう。通信部１０５は、携帯機器２の通信部２０５との通信（ペアリング）が実行可能であればよく、その通信として、Bluetooth（登録商標）、ZigBee（登録商標）、Wi-Fi（Wireless Fidelity）などがあげられる。
【００３３】
図１に示されるように、ウェアラブル機器１において、制御部１０１は、第１表示制御部１１１と、機器情報受信部１１２と、調整量決定部１１３と、第２表示制御部１１４と、を備えている。
【００３４】
第１表示制御部１１１は、通信部１０５が携帯機器２とペアリングを行なっていない場合、ウェアラブル機器用表示部１０２の表示領域のうちの、第１の表示領域１０２ａに表示画面Ａ１「１２：００」を表示する。
【００３５】
機器情報受信部１１２は、通信部１０５が携帯機器２とペアリングを行なっているときに、携帯機器２からの携帯機器情報Ｂ１（方向情報Ｂ１１）を受信する。
【００３６】
調整量決定部１１３は、センサ部１０４により検出された第１の表示領域１０２ａの向き（座標）から、携帯機器情報Ｂ１の方向情報Ｂ１１が表す携帯機器用表示部２０２の向き（座標）に、ウェアラブル機器用表示部１０２上で調整するための調整量を決定する。調整量については後述する。
【００３７】
第２表示制御部１１４は、後述の調整量に基づいて、ウェアラブル機器用表示部１０２の表示領域のうちの、携帯機器用表示部２０２の向きと同じ向きの第２の表示領域１０２ｂに表示画面Ａ１「１２：００」を表示する。
【００３８】
次に、第１実施形態に係るウェアラブル機器１の動作について説明する。
【００３９】
図４は、第１実施形態に係るウェアラブル機器１の動作を示すフローチャートである。図５は、図４の第２表示処理（ステップＳ１１０）を示すフローチャートである。図６は、図４の第１表示処理（ステップＳ１０１）を説明するための図である。図７は、図４の第２表示処理（ステップＳ１１０）を説明するための図である。
【００４０】
まず、図６に示されるように、ユーザは、自身の腕（左腕）にウェアラブル機器１のリストバンド１００を装着する。この場合、第１表示制御部１１１（図１）は、第１表示処理（図４のステップＳ１０１）を行なう。
【００４１】
第１表示処理（図４のステップＳ１０１）において、図６に示されるように、ウェアラブル機器１の第１表示制御部１１１（図１）は、ウェアラブル機器用表示部１０２の表示領域のうちの第１の表示領域１０２ａに表示画面Ａ１「１２：００」を表示する。
【００４２】
ここで、ウェアラブル機器１（図１）の通信部１０５（図１）と携帯機器２（図１）の通信部２０５（図１）とが通信可能距離内ではない。この場合、ウェアラブル機器１の通信部１０５（図１）が携帯機器２（図１）の通信部２０５（図１）とペアリングを行なっていない（図４のステップＳ１０２−Ｎｏ）。この場合、上述のステップＳ１０１（第１表示処理）が行なわれる。
【００４３】
一方、ウェアラブル機器１（図１）の通信部１０５（図１）と携帯機器２（図１）の通信部２０５（図１）とが通信可能距離内にある。例えば、図７に示されるように、ユーザは、自身の手（左手）のひらに携帯機器２を持って、携帯機器用表示部２０２を見ながら、携帯機器２を操作している。このとき、ウェアラブル機器１の通信部１０５（図１）が携帯機器２とペアリングを行なう（図４のステップＳ１０２−Ｙｅｓ）。ウェアラブル機器１が携帯機器情報Ｂ１（図１）を受信待ちの間（図４のステップＳ１０３−Ｎｏ）、上述のステップＳ１０２が行なわれる。
【００４４】
ウェアラブル機器１の機器情報受信部１１２（図１）は、ウェアラブル機器１の通信部１０５（図１）が携帯機器２とペアリングを行なっているときに、方向情報Ｂ１１（図１）を含む携帯機器情報Ｂ１（図１）を携帯機器２から受信する（図４のステップＳ１０３−Ｙｅｓ）。この場合、ウェアラブル機器１の機器情報受信部１１２（図１）、調整量決定部１１３（図１）、第２表示制御部１１４（図１）は、第２表示処理（図４のステップＳ１１０）を行なう。
【００４５】
第２表示処理（図４のステップＳ１１０）において、ウェアラブル機器１の機器情報受信部１１２（図１）は、携帯機器情報Ｂ１（図１）から方向情報Ｂ１１（図１）を取得する（図５のステップＳ１１１）。
【００４６】
次に、第２表示処理（図４のステップＳ１１０）において、図７に示されるように、ウェアラブル機器１の調整量決定部１１３（図１）は、ウェアラブル機器１のセンサ部１０４（図１）により検出された第１の表示領域１０２ａ（図６）の向き（座標）から、方向情報Ｂ１１（図１）が表す携帯機器用表示部２０２の向き（座標）に、ウェアラブル機器用表示部１０２上で調整するための調整量Ｃ１を決定する（図５のステップＳ１１２）。
【００４７】
ここで、図７に示されるように、ユーザが携帯機器２を操作しているため、携帯機器用表示部２０２の向きは、ユーザの手（左手）のひら側になっている。また、図６に示されるように、第１の表示領域１０２ａの向きは、ユーザの手（左手）の甲側に指定されている。そのため、図７に示されるように、調整量Ｃ１は、表示画面Ａ１「１２：００」を表示する表示領域を、ユーザの手（左手）の甲側にある第１の表示領域１０２ａ（図６）から、ユーザの手（左手）のひら側にある第２の表示領域１０２ｂに、ウェアラブル機器用表示部１０２上で調整するための座標データである。
【００４８】
次に、第２表示処理（図４のステップＳ１１０）において、図７に示されるように、第２表示制御部１１４（図１）は、調整量Ｃ１に基づいて、ウェアラブル機器用表示部１０２の表示領域のうちの、携帯機器用表示部２０２の向きと同じ向きの第２の表示領域１０２ｂに表示画面Ａ１「１２：００」を表示する（図５のステップＳ１１３）。
【００４９】
ここで、図５に示されるように、ウェアラブル機器１の通信部１０５（図１）が携帯機器２（図１）に対してペアリングを継続している場合（ステップＳ１１４−Ｙｅｓ）、上述のステップＳ１０３が行なわれる。一方、ウェアラブル機器１（図１）の通信部１０５（図１）が携帯機器２（図１）に対してペアリングを継続していない場合（ステップＳ１１４−Ｎｏ）、上述のステップＳ１０１（第１表示処理）が行なわれる。
【００５０】
なお、第１実施形態に係るウェアラブル機器１において、携帯機器２はスマートホンであるが、これに限定されない。携帯機器２の機能と本実施形態の効果とを実現できれば、例えば、携帯機器２は、楽器や傘などのユーザが握るものであってもよい。第１実施形態に係るウェアラブル機器１は、閉じている傘をユーザが持っている場合、ウェアラブル機器用表示部１０２の表示領域のうちの、手の甲側の表示領域（第１の表示領域１０２ａとする）に表示画面Ａ１を表示し、開いた傘の手元（ハンドル）をユーザが握っている場合、手のひら側の表示領域（第２の表示領域１０２ｂとする）に表示画面Ａ１を表示してもよい。
【００５１】
以上の説明により、第１実施形態に係るウェアラブル機器１は、リストバンド１００と、リストバンド１００の表面１００ａに設けられたウェアラブル機器用表示部１０２と、携帯機器用表示部２０２の向きを表す方向情報Ｂ１１を含む携帯機器情報Ｂ１を送信する携帯機器２に対して通信可能距離でペアリングを行なう通信部１０５と、通信部１０５が携帯機器２とペアリングを行なっていない場合、ウェアラブル機器用表示部１０２の表示領域のうちの第１の表示領域１０２ａに表示画面Ａ１「１２：００」を表示する第１表示制御部１１１と、通信部１０５が携帯機器２とペアリングを行なっているときに、携帯機器２から携帯機器情報Ｂ１を受信した場合、携帯機器情報Ｂ１に含まれる方向情報Ｂ１１に基づいて、ウェアラブル機器用表示部１０２の表示領域のうちの、携帯機器用表示部２０２の向きと同じ向きの第２の表示領域１０２ｂに表示画面Ａ１「１２：００」を表示する第２表示制御部１１４と、を具備する。
【００５２】
また、第１実施形態に係るウェアラブル機器１は、ウェアラブル機器用表示部１０２の第１の表示領域１０２ａの向きを検出するセンサ部１０４と、センサ部１０４により検出された第１の表示領域１０２ａの向きから、携帯機器情報Ｂ１の方向情報Ｂ１１が表す携帯機器用表示部２０２の向きに、ウェアラブル機器用表示部１０２上で調整するための調整量Ｃ１を決定する調整量決定部１１３と、を更に具備し、第２表示制御部１１４は、調整量Ｃ１に基づいて、ウェアラブル機器用表示部１０２の表示領域のうちの、携帯機器用表示部２０２の向きと同じ向きの第２の表示領域１０２ｂに表示画面Ａ１「１２：００」を表示する。
【００５３】
このように、第１実施形態に係るウェアラブル機器１は、ユーザが携帯機器２を操作するときの携帯機器用表示部２０２の向きに合わせて、ウェアラブル機器用表示部１０２の第２の表示領域１０２ｂに表示画面Ａ１を表示する。このため、第１実施形態に係るウェアラブル機器１によれば、ユーザは、携帯機器２を操作するときに、腕をひねることなく、ウェアラブル機器用表示部１０２に表示される表示画面Ａ１「１２：００」を見ることができる。
【００５４】
［第２実施形態］
第２実施形態に係るウェアラブル機器１では、ユーザが携帯機器２を操作しているときだけ、携帯機器用表示部２０２の向きに合わせて、ウェアラブル機器用表示部１０２の第２の表示領域１０２ｂに表示画面Ａ１「１２：００」を表示する。第２実施形態では、第１実施形態からの変更点を説明する。
【００５５】
図８は、第２実施形態に係るウェアラブル機器１に適用される通信システムにおいて、携帯機器２の構成を示すブロック図である。
【００５６】
図８に示されるように、携帯機器２は、更に、照明部２２０を具備している。照明部２２０は、液晶ディスプレイである携帯機器用表示部２０２を背面から点灯する。照明部２２０としては、ＬＥＤ（Light Emitting Diode）などの照明器具があげられる。
【００５７】
携帯機器２の制御部２０１は、携帯機器２が操作されている時に携帯機器用表示部２０２を点灯するように照明部２２０を制御し、携帯機器２が操作されていない時に携帯機器用表示部２０２を消灯するように照明部２２０を制御する。この場合、制御部２０１は、携帯機器用表示部２０２の向きを表す方向情報Ｂ１１と、携帯機器用表示部２０２の点灯の有無により携帯機器２の操作の有無を表す操作状態情報Ｂ１２と、を含む携帯機器情報Ｂ１を送信する。
【００５８】
図９は、第２実施形態に係るウェアラブル機器１の動作を示すフローチャートである。
【００５９】
まず、図９に示されるように、第１実施形態のステップＳ１０１（第１表示処理）、Ｓ１０２、Ｓ１０３が行なわれる。ここで、ステップＳ１０３において、ウェアラブル機器１の機器情報受信部１１２（図１）は、ウェアラブル機器１の通信部１０５（図１）が携帯機器２（図８）とペアリングを行なっているときに、方向情報Ｂ１１（図８）と操作状態情報Ｂ１２（図８）とを含む携帯機器情報Ｂ１（図８）を携帯機器２から受信する。
【００６０】
次に、図９に示されるように、ウェアラブル機器１（図１）の機器情報受信部１１２（図１）は、携帯機器情報Ｂ１（図８）から操作状態情報Ｂ１２（図８）を取得する（ステップＳ２０１）。
【００６１】
ここで、操作状態情報Ｂ１２（図８）が携帯機器２（図８）の操作を表していない場合（ステップＳ２０２−Ｎｏ）、上述のステップＳ１０２が行なわれる。
【００６２】
一方、操作状態情報Ｂ１２（図８）が携帯機器２（図８）の操作を表している場合（ステップＳ２０２−Ｙｅｓ）、第１実施形態のステップＳ１１０（第２表示処理）が行なわれる。
【００６３】
以上の説明により、第２実施形態に係るウェアラブル機器１において、携帯機器情報Ｂ１は、更に、携帯機器２の操作の有無を表す操作状態情報Ｂ１２を含んでいる。第２表示制御部１１４は、通信部１０５が携帯機器２とペアリングを行なっているときに、携帯機器２から携帯機器情報Ｂ１を受信し、かつ、携帯機器情報Ｂ１に含まれる操作状態情報Ｂ１２が携帯機器２の操作を表している場合、携帯機器情報Ｂ１に含まれる方向情報Ｂ１１に基づいて、ウェアラブル機器用表示部１０２の第２の表示領域１０２ｂに表示画面Ａ１「１２：００」を表示する。
【００６４】
このように、第２実施形態に係るウェアラブル機器１は、ユーザが携帯機器２を操作しているときだけ、携帯機器用表示部２０２の向きに合わせて、ウェアラブル機器用表示部１０２の第２の表示領域１０２ｂに表示画面Ａ１「１２：００」を表示する。ユーザが携帯機器２を操作していない場合（携帯機器用表示部２０２が消灯している場合）は、ユーザは、携帯機器用表示部２０２に表示される表示画面を見ているわけではない。この場合、第２実施形態に係るウェアラブル機器１は、ウェアラブル機器用表示部１０２の第１の表示領域１０２ａに表示画面Ａ１「１２：００」を表示する。このため、第２実施形態に係るウェアラブル機器１によれば、ユーザは、携帯機器２を操作しているときに、腕をひねることなく、ウェアラブル機器用表示部１０２に表示される表示画面Ａ１を見ることができる。
【００６５】
［第３実施形態］
第３実施形態に係るウェアラブル機器１では、携帯機器２とペアリングを行なっているときの受信レベルが所望の受信レベルである場合に、携帯機器用表示部２０２の向きに合わせて、ウェアラブル機器用表示部１０２の第２の表示領域１０２ｂに表示画面Ａ１「１２：００」を表示する。第３実施形態では、第２実施形態からの変更点を説明する。
【００６６】
図１０は、第３実施形態に係るウェアラブル機器１に適用される通信システムにおいて、ウェアラブル機器１の構成を示すブロック図である。
【００６７】
図１０に示されるように、ウェアラブル機器１は、更に、受信レベル計測部１３０を具備している。受信レベル計測部１３０は、リストバンド１００内に設けられ、通信部１０５が携帯機器２とペアリングを行なっているときの受信レベルＤ１を計測する。受信レベル計測部１３０は、その受信レベルＤ１を一定時間毎（例えば１００ｍｓ間隔）に計測する。受信レベルＤ１が設定受信レベルＤｔｈ以上である場合、携帯機器２に対して通信可能距離であり、かつ、受信レベルＤ１が所望の受信レベルであるものとする。受信レベルＤ１が設定受信レベルＤｔｈよりも低い状態が、予め設定された時間（数秒から数十秒）以上続いている場合、携帯機器２に対して通信可能距離であるが、受信レベルＤ１が所望の受信レベルではないものとする。
【００６８】
図１１は、第３実施形態に係るウェアラブル機器１の動作を示すフローチャートである。
【００６９】
まず、図１１に示されるように、第１実施形態のステップＳ１０１（第１表示処理）、Ｓ１０２と、第２実施形態のステップＳ１０３、Ｓ２０１、Ｓ２０２が行なわれる。
【００７０】
操作状態情報Ｂ１２（図８）が携帯機器２（図８）の操作を表している場合（ステップＳ２０２−Ｙｅｓ）、第２表示制御部１１４は、受信レベル計測部１３０（図１０）により計測された受信レベルＤ１と、設定受信レベルＤｔｈとを比較する（ステップＳ３０１）。
【００７１】
ここで、受信レベルＤ１が設定受信レベルＤｔｈ以上ではない（ステップＳ３０１−Ｎｏ）。すなわち、ウェアラブル機器１（図１０）は、携帯機器２（図８）に対して通信可能距離であるが、所望の受信レベルではない。この場合、上述のステップＳ１０１（第１表示処理）が行なわれる。
【００７２】
一方、受信レベルＤ１が設定受信レベルＤｔｈ以上である（ステップＳ３０１−Ｙｅｓ）。すなわち、ウェアラブル機器１（図１０）は、携帯機器２（図８）に対して通信可能距離であり、かつ、所望の受信レベルである。この場合、第１実施形態のステップＳ１１０（第２表示処理）が行なわれる。
【００７３】
なお、第３実施形態に係るウェアラブル機器１において、第２実施形態のステップＳ２０１、Ｓ２０２が実行されなくてもよい。この場合、第２実施形態のステップＳ１０３に代えて、第１実施形態のステップＳ１０３が行なわれ、ステップＳ１０３の後に上述のステップＳ３０１が行なわれる。
【００７４】
以上の説明により、第３実施形態に係るウェアラブル機器１は、通信部１０５が携帯機器２とペアリングを行なっているときの受信レベルＤ１を計測する受信レベル計測部１３０を更に具備している。第２表示制御部１１４は、通信部１０５が携帯機器２とペアリングを行なっているときに、携帯機器２から携帯機器情報Ｂ１を受信し、かつ、受信レベルＤ１が設定受信レベルＤｔｈ以上である場合、携帯機器情報Ｂ１に含まれる方向情報Ｂ１１に基づいて、ウェアラブル機器用表示部１０２の第２の表示領域１０２ｂに表示画面Ａ１「１２：００」を表示する。第１表示制御部１１１は、受信レベルＤ１が設定受信レベルＤｔｈよりも低い場合、ウェアラブル機器用表示部１０２の第１の表示領域１０２ａに表示画面Ａ１「１２：００」を表示する。
【００７５】
このように、第３実施形態に係るウェアラブル機器１は、携帯機器２とペアリングを行なっているときの受信レベルＤ１が所望の受信レベルである場合に、携帯機器用表示部２０２の向きに合わせて、ウェアラブル機器用表示部１０２の第２の表示領域１０２ｂに表示画面Ａ１「１２：００」を表示する。ユーザが他の人に携帯機器２を操作させている場合や、ユーザが携帯機器２から離れている場合は、ユーザは、携帯機器用表示部２０２に表示される表示画面を見ているわけではない。この場合、第３実施形態に係るウェアラブル機器１は、ウェアラブル機器用表示部１０２の第１の表示領域１０２ａに表示画面Ａ１「１２：００」を表示する。このため、第３実施形態に係るウェアラブル機器１によれば、ユーザは、携帯機器２を操作するときに、携帯機器２とペアリングを行なっているときの受信レベルＤ１が所望の受信レベルである場合に、腕をひねることなく、ウェアラブル機器用表示部１０２に表示される表示画面Ａ１を見ることができる。
【００７６】
［第４実施形態］
第１〜第３実施形態に係るウェアラブル機器１において、前述のように、第１の表示領域１０２ａは、ユーザが自身の腕（左腕）にリストバンド１００を装着したときに、腕時計のように左腕の手の甲側に表示画面Ａ１を表示する表示領域であるがこれに限定されない。第４実施形態に係るウェアラブル機器１では、リストバンド１００がユーザの腕に固定されないブレスレットのように腕周りをくるくる回るようなものである場合、第１の表示領域１０２ａは、ウェアラブル機器用表示部１０２の表示領域のうちの、最も高い位置で表示画面Ａ１を表示する表示領域である。第４実施形態では、第１〜第３実施形態からの変更点を説明する。
【００７７】
図１２〜１４は、第４実施形態に係るウェアラブル機器１の動作において、図４の第１表示処理（ステップＳ１０１）を説明するための図である。
【００７８】
図１２に示されるように、ウェアラブル機器１のセンサ部１０４（図１、１０）は、ウェアラブル機器用表示部１０２（図１、１０）の表示領域のうちの、最も高い位置Ｅ１にある表示領域の向きを検出する。
【００７９】
図１３、１４に示されるように、ウェアラブル機器１の第１表示制御部１１１（図１、１０）は、ウェアラブル機器１のセンサ部１０４（図１、１０）により検出された表示領域（最も高い位置Ｅ１にある表示領域）を、ウェアラブル機器用表示部１０２の第１の表示領域１０２ａとする。そこで、ウェアラブル機器１の通信部１０５（図１、１０）が携帯機器２（図１、８）とペアリングを行なっていないときに、ウェアラブル機器１の第１表示制御部１１１（図１、１０）は、ウェアラブル機器用表示部１０２の表示領域のうちの、最も高い位置Ｅ１にある表示領域（第１の表示領域１０２ａ）に表示画面Ａ１「１２：００」を表示する。
【００８０】
以上の説明により、第４実施形態に係るウェアラブル機器１は、ウェアラブル機器用表示部１０２の表示領域のうちの最も高い位置Ｅ１にある表示領域の向きを検出するセンサ部１０４を更に具備している。ウェアラブル機器用表示部１０２の第１の表示領域１０２ａは、ウェアラブル機器用表示部１０２の表示領域のうちの、最も高い位置Ｅ１で表示画面Ａ１「１２：００」を表示するための表示領域である。
【００８１】
このように、第４実施形態に係るウェアラブル機器１は、リストバンド１００がユーザの腕に固定されないブレスレットのように腕周りをくるくる回るようなものである場合、ウェアラブル機器用表示部１０２の表示領域のうちの、最も高い位置Ｅ１にある表示領域（第１の表示領域１０２ａ）に表示画面Ａ１「１２：００」を表示する。このため、第４実施形態に係るウェアラブル機器１によれば、第１実施形態〜第３実施形態の効果に加えて、利便性が向上する。
【００８２】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００８３】
１  …  ウェアラブル機器
２  …  携帯機器
１００  …  リストバンド
１００ａ  …  表面
１００ｂ  …  裏面
１００ｃ、１００ｄ  …  端部
１０１  …  制御部
１０２  …  ウェアラブル機器用表示部
１０２ａ  …  第１の表示領域
１０２ｂ  …  第２の表示領域
１０３  …  記憶部
１０４  …  センサ部
１０５  …  通信部
１０６  …  接続部
１１１  …  第１表示制御部
１１２  …  機器情報受信部
１１３  …  調整量決定部
１１４  …  第２表示制御部
１３０  …  受信レベル計測部
２００  …  筐体
２０１  …  制御部
２０２  …  携帯機器用表示部
２０３  …  記憶部
２０４  …  センサ部
２０５  …  通信部
２２０  …  照明部
Ａ１    …  表示画面
Ｂ１    …  携帯機器情報
Ｂ１１  …  方向情報
Ｂ１２  …  操作状態情報
Ｃ１  …  調整量
Ｄ１  …  受信レベル
Ｅ１  …  最も高い位置
【図１】
2017076034.tif 000003
【図２】
2017076034.tif 000004
【図３】
2017076034.tif 000005
【図４】
2017076034.tif 000006
【図５】
2017076034.tif 000007
【図６】
2017076034.tif 000008
【図７】
2017076034.tif 000009
【図８】
2017076034.tif 000010
【図９】
2017076034.tif 000011
【図１０】
2017076034.tif 000012
【図１１】
2017076034.tif 000013
【図１２】
2017076034.tif 000014
【図１３】
2017076034.tif 000015
【図１４】
2017076034.tif 000016